(57)【特許請求の範囲】
【請求項１】
筒状の外装部材と、前記外装部材に保持された台座と、前記台座に摺動自在に保持された複数の摺動部材とを備え、
前記台座は、前記摺動部材と対応する数のガイドレールを備え、
前記各摺動部材は、前記台座の外周側から摺動操作される操作部材と、前記操作部材と連結された連結部材とを備え、
前記連結部材は、前記各ガイドレールを摺動するスライド部を備え、
前記スライド部は、前記各ガイドレールに応じて何れか１つが選択的に使用され得るように複数からなることを特徴とするレンズ鏡胴。
【請求項２】
前記台座は、前記台座に対して前記摺動部材を係合して位置決めする係合位置決め部と、前記台座に対する前記摺動部材の位置を検出する検出部とを備え、
前記連結部材は、前記連結部材の一方端部に形成され前記検出部と係合した第１係合部と、前記連結部材の他方端部に形成され前記係合位置決め部と係脱自在に係合する第２係合部とを備え、
前記スライド部は、前記連結部材の他方端部に形成されていることを特徴とする請求項１に記載のレンズ鏡胴。
【請求項３】
前記ガイドレールは、前記係合位置決め部を挟んで前記係合位置決め部の両側に配置され、
前記スライド部は、前記第２係合部を挟んで前記第２係合部の両側に配置されていることを特徴とする請求項２に記載のレンズ鏡胴。
【請求項４】
前記連結部材は、前記第２係合部を前記係合位置決め部側に付勢する付勢部を備えていることを特徴とする請求項２又は３に記載のレンズ鏡胴。
【請求項５】
前記連結部材は、板状の連結部材本体と、前記連結部材本体と連結された弾性を有する腕部とを備え、
前記第２係合部は、前記腕部の先端に形成され、
前記付勢部は、前記腕部であることを特徴とする請求項４に記載のレンズ鏡胴。
【請求項６】
前記連結部材は、板状の連結部材本体と、前記連結部材本体から段部を介して折り曲げられた折曲片とを備え、
前記スライド部は、前記折曲片の先端部に形成された第１スライド部と、前記折曲片の折り曲げ基端部の段部に形成された第２スライド部とを備えていることを特徴とする請求項１〜５の何れか一項に記載のレンズ鏡胴。
【発明の詳細な説明】
【技術分野】
【０００１】
本発明は、レンズ鏡胴に関するものである。
【背景技術】
【０００２】
従来から、外装部材の外周に保持された台座と、前記台座に摺動自在に保持された複数の摺動部材としてのスイッチ部材とを備えたレンズ鏡胴が知られている。例えば特許文献１に、レンズ鏡胴のマウント取付枠（外装部材）の外周に保持されたスイッチカバー（台座）と、前記スイッチカバーに摺動自在に保持されマクロ撮影モードをＯＮ／ＯＦＦさせるスイッチ部材及びオートフォーカスモードとマニュアルモードとに切り替える切り替えスイッチ部材とを備えたものが開示されている。
【０００３】
このようなスイッチ部材は、例えば台座の外周側から摺動操作される操作部材と、台座の内周側に配置され操作部材と連結された連結部材とを備え、又、連結部材は、台座の内周面に設けられたガイドレールを摺動する１つのスライド部を備えたものが従来から実施されている場合が多い。このようにスイッチ部材が構成されることにより、スイッチ部材が台座に摺動可能に取り付け易いものにされている。
【先行技術文献】
【特許文献】
【０００４】
【特許文献１】特開２０１１−６４９７０号公報
【発明の概要】
【発明が解決しようとする課題】
【０００５】
しかしながら、上記のように、スイッチ部材の連結部材はスライド部を１つだけ備えているため、複数のスイッチ部材を台座に配置する場合、同じ形状の連結部材を用いると、複数のスイッチ部材の台座における配置位置がある程度決まってしまい、配置自由度が少ない。そのため、台座におけるガイドレールの位置、或いは、台座に設けられる各スイッチ部材位置検出用の検出部の、台座における位置が連結部材の形状に応じて決まってしまい、例えば検出部のそれぞれに接続するフレキシブルプリント配線板を配線し難くなる場合もある。その一方、異なる形状の連結部材を用いるとすれば、連結部材の形成が容易に行えず、製造コストが高くなってしまう。
【０００６】
また、外装部材に外周に沿って複数のスイッチ部材を配置し、光軸方向に沿ってスライドする構成とした場合に、金型成形により製造される円弧状の台座の内周面に形成されるガイド面を有する複数のガイドレールは、金型の抜き方向の制約によりそのガイド面がそれぞれ異なる勾配になってしまうため、スライド部が特定の形状の連結部材では、各ガイド面を円滑に摺動し難い。
【０００７】
本発明は、複数のスライド部を持つ連結部材を用いて摺動部材の配置の自由度を高くでき、また、複数のガイドレールに対応して形成されたスライド部を持つ連結部材を用いて摺動部材の配置の自由度を高くでき、円滑に摺動できるレンズ鏡胴の提供を目的とする。
【課題を解決するための手段】
【０００８】
本発明の一態様に係るレンズ鏡胴は、筒状の外装部材と、前記外装部材に保持された台座と、前記台座に摺動自在に保持された複数の摺動部材とを備え、前記台座は、前記摺動部材と対応する数のガイドレールを備え、前記各摺動部材は、前記台座の外周側から摺動操作される操作部材と、前記操作部材と連結された連結部材とを備え、前記連結部材は、前記各ガイドレールを摺動するスライド部を備え、前記スライド部は、前記各ガイドレールに応じて何れか１つが選択的に使用され得るように複数からなることを特徴とする。
【０００９】
これによれば、連結部材は、複数のスライド部を備え、ガイドレールに応じてスライド部の内の何れか１つが選択的に使用されるため、台座における複数の摺動部材の配置の自由度が高められる。これにより、例えば台座におけるガイドレールの配置の自由度が高くなり、又、例えば台座にフレキシブルプリント配線板が配線される場合でも、フレキシブルプリント配線板が配線され易くなる。一方、同じ形状の連結部材を形成すればよく、製造コストを抑えることができる。また同一形状の連結部材を使うことで、操作力が均一になり、高品位な使用感が得られる。
【００１６】
他の一態様では、前記レンズ鏡胴において、前記台座は、前記台座に対して前記摺動部材を位置決めする係合位置決め部と、前記台座に対する前記摺動部材の位置を検出する検出部とを備え、前記連結部材は、前記連結部材の一方端部に形成され前記検出部と係合した第１係合部と、前記連結部材の他方端部に形成され前記係合位置決め部と係脱自在に係合する第２係合部とを備え、前記スライド部は、前記連結部材の他方端部に形成されていることを特徴とする。
【００１７】
これによれば、連結部材の一方端部に第１係合部が形成され、連結部材の他方端部にスライド部と第２係合部とが形成されるため、連結部材の形成が容易になる。又、台座における係合位置決め部と検出部とを所定の間隔を隔てて形成でき、係合位置決め部と検出部との形成が容易になる。
【００１８】
他の一態様では、前記レンズ鏡胴において、前記ガイドレールは、前記係合位置決め部を挟んで前記係合位置決め部の両側に配置され、前記スライド部は、前記第２係合部を挟んで前記第２係合部の両側に配置されていることを特徴とする。
【００１９】
これによれば、各スライド部がガイドレールを摺動するに際して摺動部材が第２係合部の両側で摺動し、ガイドレールに対して傾くおそれが少なく、各スライド部がガイドレールを安定的に摺動できる。又、連結部材の一方端から他方端までの幅方向の長さを抑えることができ、連結部材が小型化される。
【００２０】
他の一態様では、前記レンズ鏡胴において、前記連結部材は、前記第２係合部を前記係合位置決め部側に付勢する付勢部を備えていることを特徴とする。
【００２１】
これによれば、第２係合部が係合位置決め部に入ったクリック感を使用者に与えることができるとともに、第２係合部が係合位置決め部に入った状態を維持できる。又、係合位置決め部に入った第２係合部が付勢力以上の力がかかると、係合位置決め部から出て第２係合部の位置が変えられる。
【００２２】
他の一態様では、前記レンズ鏡胴において、前記連結部材は、板状の連結部材本体と、前記連結部材本体と連結された弾性を有する腕部とを備え、前記第２係合部は、前記腕部の先端に形成され、前記付勢部は、前記腕部であることを特徴とする。
【００２３】
これによれば、連結部材本体と弾性を有する腕部とを一体的に形成すれば、バネ等の付勢部材を不要にでき、連結部材を容易に低コストで形成できる。
【００２４】
他の一態様では、前記レンズ鏡胴において、前記連結部材は、板状の連結部材本体と、前記連結部材本体から段部を介して折り曲げられた折曲片とを備え、前記スライド部は、前記折曲片の先端部に形成された第１スライド部と、前記折曲片の折り曲げ基端部の段部に形成された第２スライド部とを備えていることを特徴とする。
【００２５】
これによれば、第１スライド部と第２スライド部との形成が容易になる。
【発明の効果】
【００２６】
本発明のレンズ鏡胴は、複数のスライド部を持つ連結部材を用いて摺動部材の配置の自由度を高くでき、また、複数のガイドレールに対応して形成されたスライド部を持つ連結部材を用いて摺動部材の配置の自由度を高くでき、円滑に摺動できる。
【図面の簡単な説明】
【００２７】
【図１】本発明の一実施の形態のレンズ鏡胴の断面図である。
【図２】図１のＩＩ−ＩＩ線に沿う要部拡大断面図である。
【図３】図１のレンズ鏡胴に用いられるスイッチ部材及びスイッチ部材が保持された台座の正面図である。
【図４】図３の台座の背面図である。
【図５】台座の正面図である。
【図６】（ａ）は、図１のレンズ鏡胴に用いられる連結部材の正面図、（ｂ）は、図６（ａ）の側面図、（ｃ）は、図６（ａ）の底面図である。
【図７】台座を成形型を用いて成形する際の説明図である。
【図８】図６の状態から成形型を離形する際の説明図である。
【発明を実施するための形態】
【００２８】
以下、本発明の実施の形態について、図面を参照しながら詳細に説明する。図１は、本発明の一実施の形態のレンズ鏡胴の断面図、図２は、図１のＩＩ−ＩＩ線に沿う要部拡大断面図である。尚、図のＸ方向を対物側とし、図のＹ方向を像側として説明する。
【００２９】
この実施形態のレンズ鏡胴１は、図１に示すようにレンズ鏡胴本体２と、筒状の外装部材３と、外装部材３に保持された台座４と、台座４に摺動自在に保持された複数のスイッチ部材（摺動部材）５ａ、５ｂ、５ｃとを備えている。
【００３０】
レンズ鏡胴本体２は、この実施形態では、固定筒２１ａ、２１ｂと、レンズ群２２ａ〜２２ｄと、カム筒２３と、補強部材２４とを備えている。
【００３１】
固定筒は、この実施形態では、金属製の円筒状の第１固定筒２１ａと、第１固定筒２１ａの像側の端部にボルトによって固定的に連結された合成樹脂製の円筒状の第２固定筒２１ｂとを備えている。
【００３２】
又、第２固定筒２１ｂにおける軸方向の対物側の端部には、基板（回路基板）２７が取り付けられている。この基板２７は、例えば第１固定筒２１ａに対するカム筒２３の回動位置を検出し、或いは、後述のオートフォーカス用駆動モータ２６１を制御するもので、不図示のフレキシブルプリント基板でオートフォーカス用駆動モータ２６１等の電気部品と接続されている。
【００３３】
そして、この実施形態の第２固定筒２１ｂは、金属製の略円筒状の補強部材２４の内周に収納された状態で、補強部材２４にボルト（図示せず）によって固定的に連結されている。この実施形態の補強部材２４は、像側の端面に、マウント部材２６が固定的に連結されており、このマウント部材２６を介してこのレンズ鏡胴１がカメラ本体に着脱自在に取り付けられる。
【００３４】
レンズ群は、この実施形態では、図１に示すように、対物側から像側に順に配置された第１レンズ群２２ａ、第２レンズ群２２ｂ、第３レンズ群２２ｃ及び第４レンズ群２２ｄを備えている。
【００３５】
第１レンズ群２２ａは、１又は複数のレンズを備え、第１固定筒２１ａに固定的に保持されている。
【００３６】
第２レンズ群２２ｂは、１又は複数のレンズを備え、第１固定筒２１ａに、光軸方向（Ｘ−Ｗ方向、第１固定筒２１ａの軸方向）に移動可能に保持されており、移動レンズ群をなしている。この第２レンズ群２２ｂは、外周側に、第１固定筒２１ａに設けられたガイド溝２１２及び後述のカム筒２３のカム溝２３１に移動可能に入れられたガイド軸２２１を備え、このガイド軸２２１がガイド溝２１２及びカム溝２３１に沿って案内移動させられることにより第２レンズ群２２ｂが光軸方向に移動する。尚、この第２レンズ群２２ｂの移動については、更に後述する。
【００３７】
第３レンズ群２２ｃは、１又は複数のレンズを備え、第２固定筒２１ｂに固定的に保持されている。
【００３８】
第４レンズ群２２ｄは、１又は複数のレンズを備え、第２固定筒２１ｂに、複数の調整ボルト２２４（図１では１つだけ表れている）によって光軸方向の傾き及び光軸方向の位置が調整可能に保持されている。
【００３９】
カム筒２３は、レンズ群を光軸方向に移動操作するもので、この実施形態では、第２レンズ群２２ｂを光軸方向に移動操作する。カム筒２３は、円筒体からなり、第２レンズ群２２ｂのガイド軸２２１が移動可能に入り込んだカム溝２３１を備えている。このカム溝２３１は、平面視で軸方向に傾斜するように形成されている。
【００４０】
そして、このように形成されたカム筒２３は、第１固定筒２１ａにおける像側の一部の外周側に、第１固定筒２１ａに対して軸方向移動不能に且つ光軸回り（第１固定筒２１ａの軸回り）に回動自在に保持されており、回動操作部材によって回動操作される。
【００４１】
詳しくは、この回動操作部材は、この実施形態では、オートフォーカス操作部材２６０と、マニュアル操作部材２７０と、出力リング２８０とを備えている。
【００４２】
オートフォーカス操作部材２６０は、第１固定筒２１ａに保持されたオートフォーカス用駆動モータ２６１と、オートフォーカス用駆動モータ２６１とギアを介して連動可能に連結されたオート用入力リング２６２とを備えている。
【００４３】
オート用入力リング２６２は、円筒状のものから構成されている。この実施形態では、オート用入力リング２６２は、外周に、オートフォーカス用駆動モータ２６１に設けられた出力軸２６１ｂの第１ギア２６１ａと噛合する第２ギア２６２ａを備えている。又、オート用入力リング２６２は、その像側の面に、後述の出力リング２８０の転動ローラー２８０ｂが転動する第１ローラー転動部２６２ｂを備えている。
【００４４】
このように構成されたオート用入力リング２６２は、第１固定筒２１ａの外周に、第１固定筒２１ａの軸まわりに回動自在に配設されている。
【００４５】
マニュアル操作部材２７０は、手動でカム筒２３を回動操作するもので、マニュアル用入力リング２７１と、マニュアル用入力リング２７１を操作するマニュアル操作リング２７２とを備えている。
【００４６】
マニュアル用入力リング２７１は、リング板状のものから構成されており、対物側の面に、後述の出力リング２８０の転動ローラー２８０ｂが転動する第２ローラー転動部２７１ａを備えている。
【００４７】
そして、このマニュアル用入力リング２７１は、オート用入力リング２６２と所定間隔隔ててオート用入力リング２６２の像側に、第１固定筒２１ａの軸まわりに回動自在に配設されている。
【００４８】
マニュアル操作リング２７２は、円筒状のものから構成され、内周側に、一体的に形成されたフランジからなる操作部２７２ａを備えている。この操作部２７２ａは、マニュアル用入力リング２７１を像側から、入力リング付勢バネ２７２ｃを介してマニュアル用入力リング２７１を操作する。
【００４９】
出力リング２８０は、円筒状のものから構成されている。この出力リング２８０には、出力リング２８０に保持された３つ（図１では、１つだけが表れている）の連動部材が付設されている。
【００５０】
連動部材は、出力リング２８０と上記オート用入力リング２６２とを連動させるとともに、出力リング２８０と上記マニュアル用入力リング２７１とを連動させるもので、連動部材の夫々は、ローラー軸２８０ａと、ローラー軸２８０ａに回動自在に支持された転動ローラー２８０ｂとを備えている。
【００５１】
又、出力リング２８０は、図示しない係合部材によってカム筒２３と固定的に係合されている。
【００５２】
このように構成された出力リング２８０は、第１固定筒２１ａの軸方向におけるオート用入力リング２６２とマニュアル用入力リング２７１との間且つ第１固定筒２１ａの外周に、第１固定筒２１ａの軸まわり（光軸まわり）に回動自在に配設されている。
【００５３】
又、この状態で、転動ローラー２８０ｂは、オート用入力リング２６２の第１ローラー転動部２６２ｂとマニュアル用入力リング２７１の第２ローラー転動部２７１ａとの間に配設され、入力リング付勢バネ２７２ｃによって両者に加圧状態で挟持されている。
【００５４】
より詳しくは、マニュアル操作リング２７２とマニュアル用入力リング２７１との間に、波板リング状のスプリングからなる入力リング付勢バネ２７２ｃが設けられており、この入力リング付勢バネ２７２ｃによって、マニュアル用入力リング２７１は、対物側のオート用入力リング２６２側に付勢されている。
【００５５】
この付勢力により、マニュアル用入力リング２７１の第２ローラー転動部２７１ａが転動ローラー２８０ｂを押圧し、この押圧によって転動ローラー２８０ｂがオート用入力リング２６２の第１ローラー転動部２６２ｂを押圧している。これにより、転動ローラー２８０ｂは、第１ローラー転動部２６２ｂと第２ローラー転動部２７１ａとに、一定の付勢力がかかった状態で挟持されている。
【００５６】
次に、外装部材３について説明する。外装部材３は、レンズ鏡胴本体２の外周側に配設されるもので、この実施形態の外装部材３は、補強部材２４の外周を覆うように配置され、ボルト（図示せず）によって補強部材２４に固定的に連結されている。
【００５７】
この外装部材３には、周面に、矩形状の貫通孔３０が形成されており、外装部材３は、その貫通孔３０の全周部に、台座４を保持する台座保持部３１を備えている。この実施形態の台座保持部３１は、図２に示すように台座保持部３１の周方向（図のＺ−Ｗ方向）の一方側（図のＷ方向側）の端部に、台座４を係止する第１係止部３２を備え、台座保持部３１の周方向の他方側（図のＺ方向側）の端部に、台座を固定する台座固定部３３を備えている。台座固定部３３は、この実施形態では、台座固定ボルト３４と螺合するネジ孔からなる。
【００５８】
台座４は、光軸方向から見た側面視で円弧形状を呈する台座本体４０と、台座本体４０の周方向の一方端部に形成された第２係止部４１と、周方向の他方端部に形成された被固定部４２と、台座本体４０の周方向における第１係止部４１と被固定部４２との間に形成されたスイッチ部材配設部４３〜４５とを備えている。
【００５９】
台座本体４０は、曲率中心が外装部材３の外周面の曲率中心と略同じになるような形状に形成されている。これにより、台座本体４０が外装部材３の外周に取り付けられた場合に、台座本体４０の外周が外装部材３の外周形状に沿うように形成されている。
【００６０】
第２係止部４１は、外装部材３の第１係止部３２と係脱自在に係止するもので、この実施形態では、台座本体４０の周方向の一方端面から突出した係止爪から構成されている。
【００６１】
被固定部４２は、台座固定ボルト３４を挿通するボルト挿通孔から構成されている。
【００６２】
スイッチ部材配設部は、この実施形態では、図２〜図５に示すように第２係止部４１（図のＷ方向側）から順に形成された第１スイッチ部材配設部４３、第２スイッチ部材配設部４４、及び第３スイッチ部材配設部４５との３つを備えている。
【００６３】
第１スイッチ部材配設部４３は、後述の第１スイッチ部材５ａを移動可能に保持するスイッチ部材保持部４３１と、第１スイッチ部材５ａを位置決めする第１スイッチ係合位置決め部４３３と、第１スイッチ部材５ａをガイドする第１スイッチガイドレール４３２と、第１スイッチ部材配設部４３における第１スイッチ部材５ａの位置を検出する第１スイッチ部材検出部４３４とを備えている。
【００６４】
第１スイッチ部材保持部４３１は、第１スイッチ部材５ａを移動可能に受容する受容部４３１ａと、後述のスイッチ部材５ａの操作部材５１ａの軸部５１２を移動可能に挿通する長孔状の軸嵌挿孔４３１ｂとを備えている。
【００６５】
受容部４３１ａは、台座本体４０の外周面に、台座本体４０の周方向に所定の幅及び光軸方向に所定の長さで、台座本体４０の外周面から所定の深さで凹まされるように形成されている。
【００６６】
軸嵌挿孔４３１ｂは、受容部４３１ａから台座本体４０の内周面に貫通するように形成されている。
【００６７】
第１スイッチ係合位置決め部４３３は、台座本体４０の周方向における軸嵌挿孔５３１ｂの他方側（Ｚ方向側）に形成されている。この実施形態の係合位置決め部４３３は、２つの区画壁４３３ａと、区画壁４３３ａにより区画された３つの第１係合部４３３ｄとを備えている。
【００６８】
各区画壁４３３ａは、台座本体４０の内周面から内側に突出した頂部４３３ｂと、頂部４３３ｂの両側に、頂部４３３ｂから第１係合部４３３ｃにかけて形成された傾斜面４３３ｃとを備えている。
【００６９】
第１スイッチガイドレール４３２は、光軸方向における係合位置決め部４３３の両側それぞれに形成されている。各ガイドレール４３２は、後述のスイッチ部材のガイド部が摺動する第１スイッチガイド面４３２ａを備えている。
【００７０】
このガイド面は、この実施形態では、台座本体４０の円弧形状の法線に略沿うように形成されている。
【００７１】
第１スイッチ部材検出部４３４は、台座本体４０の周方向における軸嵌挿孔５３１ｂの一方側（Ｗ方向側）に形成されている。この第１スイッチ部材検出部４３４は、台座本体４０に取り付けられた検出部本体４３４ａと、検出部本体４３４ａに移動可能に保持された検出片４３４ｂとを備えている。
【００７２】
検出部本体４３４ａは、検出部本体４３４ａに対する検出片４３４ｂの位置を検出できるようになっている。そして、この検出部本体４３４ａは、フレキシブルプリント配線板４４０によって基板２７に接続されている。
【００７３】
第２スイッチ部材配設部４４は、第１スイッチ部材配設部４３と同様に、第２スイッチ部材５ｂを保持した第２スイッチ部材保持部４４１と、第２スイッチ部材５ｂを位置決めする第２スイッチ係合位置決め部４４３と、第２スイッチ部材５ｂをガイドする第２スイッチガイドレール４４２と、第２スイッチ部材配設部４４における第２スイッチ部材５ｂの位置を検出する第２スイッチ部材検出部４４４とを備えている。
【００７４】
第２スイッチ部材保持部４４１は、受容部４４１ａと、軸嵌挿孔４４１ｂとを備えている。ただし、この第２スイッチ部材保持部４４１は、第１スイッチ部材保持部４３１よりも光軸方向の長さが短く形成されている。
【００７５】
第２スイッチ係合位置決め部４４３、第２スイッチガイドレール４４２、及び第２スイッチ部材検出部４４４も、第１スイッチ部材配設部４３のものと略同構成を採っている。
【００７６】
詳しくは、第２スイッチ係合位置決め部４４３は、区画壁４４３ａと第１係合部４４３ｄとを備えている。ただし、この第２スイッチ係合位置決め部４４３は、１つの区画壁４４３ａによって２つの第１係合部４４３ｄを形成している。
【００７７】
第２スイッチガイドレール４４２は、光軸方向における係合位置決め部４３３の両側それぞれに形成されており、各第２スイッチガイドレール４４２は、台座本体４０の円弧形状の法線に略沿うように形成されたガイド面４４２ａを備えている。
【００７８】
第２スイッチ部材検出部４４４は、検出部本体４４４ａと検出片４４４ｂとを備えている。
【００７９】
ただし、第２スイッチ係合位置決め部４４３及び第２スイッチガイドレール４４２は、台座本体４０の周方向（Ｚ−Ｗ方向）における軸嵌挿孔４３１ｂの他方側（Ｗ方向側）に形成され、第２スイッチ部材検出部４４４は、台座本体４０の周方向における軸嵌挿孔５３１ｂの他方側（Ｚ方向側）に形成されている。
【００８０】
従って、第２スイッチ係合位置決め部４４３、第２スイッチガイドレール４４２及び第２スイッチ部材検出部４４４は、軸嵌挿孔５４１ｂに対する位置が第１スイッチ係合位置決め部４３３、第１スイッチガイドレール４３２、第２スイッチ部材検出部４３４のそれぞれの軸嵌挿孔５３１ｂに対する位置とは反対側に配置されている。
【００８１】
第３スイッチ部材配設部４５も、第１スイッチ部材配設部４３と略同構成を採っている。詳しくは、第３スイッチ部材配設部４５は、スイッチ部材保持部４５１と、第３スイッチ係合位置決め部４５３と、第３スイッチガイドレール４５２と、第３スイッチ部材検出部４５４とを備えている。
【００８２】
第３スイッチ部材保持部４５１は、受容部４５１ａと、軸嵌挿孔４５１ｂとを備えている。
【００８３】
第１スイッチ係合位置決め部４５３は、２つの区画壁４５３ａと、２つの区画壁４５３ａによって区画された３つの第１係合部４５３ｄとを備えている。
【００８４】
第３スイッチガイドレール４５２は、台座本体４０の円弧形状の法線に略沿うように形成されて第３スイッチガイド面４５２ａを備えている。
【００８５】
第３スイッチ部材検出部４５４は、検出部本体４５４ａと、検出片４５４ｂとを備えている。
【００８６】
従って、第３スイッチ係合位置決め部４５３、第３スイッチガイドレール４５２及び第３スイッチ部材検出部４５４は、軸嵌挿孔５５１ｂに対する位置が第１スイッチ係合位置決め部４３３、第１スイッチガイドレール４３２、第２スイッチ部材検出部４３４のそれぞれの軸嵌挿孔５３１ｂに対する位置と同じ側に配置されている。
【００８７】
このように構成された台座４は、この実施形態では、成形型が用いられて、次のように成形されている。
【００８８】
成形型は、図７、図８に示すように台座４の内面を成形する１つの内面成形型４０１と、台座４の外面を成形する３つの外面成形型４０２、４０３、４０４とを備えている。
【００８９】
内面成形型４０１は、外面に、第１スイッチガイド面４３２ａを成形するための第１スイッチガイド面成形部４１１、第２スイッチガイド面４４２ａを成形するための第２スイッチガイド面成形部４１２、及び第３スイッチガイド面４５２ａを成形するための第３スイッチガイド面成形部４１３を有する台座内面成形部４０１ａを備えている。
【００９０】
第１スイッチガイド面成形部４１１は、台座４を成形した後の内面成形型４０１の型抜き方向（図のＰ方向）に対して角度α１を有し、第１スイッチガイド面４３２ａが抜き勾配α１を有する面に成形できるようになっている。
【００９１】
第２スイッチガイド面成形部４１２は、内面成形型４０１の型抜き方向に沿った面（抜き勾配が０の面）に形成されており、第２スイッチガイド面４４２ａが抜き勾配が「０」の面に成形できるようになっている。
【００９２】
第３スイッチガイド面成形部４１３は、内面成形型４０１の型抜き方向に対して角度α２を有し、第３スイッチガイド面４５２ａが抜き勾配α２を有する面に成形できるようになっている。
【００９３】
従って、この実施形態では、内面成形型４０１の第１スイッチガイド面成形部４１１、第２スイッチガイド面成形部４１２、及び第３スイッチガイド面成形部４１３は、第１スイッチガイド面４３２ａと第２スイッチガイド面４４２ａと第３スイッチガイド面４５２ａとが互いに異なる抜き勾配となる３つになるように形成されている。
【００９４】
外面成形型４０２、４０３、４０４は、それぞれ、外面に、台座４の外面の一部及び軸嵌挿孔４３１ｂ、４４１ｂ、４５１ｂを成形する外面成形部４０２ａ、４０３ａ、４０４ａを備えている。
【００９５】
内面成形型４０１の型抜き方向は台座円弧方向中心線と略同一となっていることが好ましい。これによれば、多くのスイッチ部材を設ける等で台座４が大型化しても内面形状を形成しやすい。また、第１スイッチガイド面成形部４１１と外面形成型４０２の型抜き方向、第２スイッチガイド面成形部４１２と外面形成型２０３の型抜き方向、第３スイッチガイド面成形部４１３と外面形成型４０４の抜き方向が平行になるよう設定されている。これにより、スイッチ部材の軸部５１２の軸方向とガイド部が平行になり、複数のスイッチ部材の操作感触が均一になり得る。
【００９６】
また、台座本体４０の周方向端部に設けられた操作部材５１ａ（Ｗ側）および５１ｃ（Ｚ側）にそれぞれ対応する第１スイッチガイド面４３２ａおよび第３スイッチガイド面４５２ａは各々台座端部側を向くように（Ｗ側、Ｚ側を向くように）設けられている。
【００９７】
このように構成された内面成形型４０１と外面成形型４０２、４０３、４０４とは、図７に示すように互いに台座内面成形部４０１ａと外面成形部４０２ａ、４０３ａ、４０４ａとが対向するように合わされて、台座内面成形部４０１ａと外面成形部４０２ａ、４０３ａ、４０４ａとの間に台座成形部４０５が形成される。
【００９８】
そして、その状態で、例えば溶融状の合成樹脂材料が台座成形部４０５に充填されて冷却される。これにより、台座成形部４０５に台座４が成形される。
【００９９】
その後、内面成形型４０１と外面成形型４０２、４０３、４０４とが、図８に示すように成形された台座４に対して型抜き（離形）される。
【０１００】
その際、第１スイッチガイド面４３２ａが内面成形型４０１の型抜き方向に対して抜き勾配α１を有する面に形成され、第２スイッチガイド面４４２ａが内面成形型４０１の型抜き方向に沿った面に形成され、又、第３スイッチガイド面４５２ａが内面成形型４０１の型抜き方向に対して抜き勾配α２を有する面に形成されている。これにより、１つの内面成形型４０１によって第１スイッチガイド面４３２ａと第２スイッチガイド面４４２ａと第３スイッチガイド面４５２ａとが一体成形によって、欠肉や割れ等が生じることなく平滑な面に形成される。従って、台座４が低コストで製作される。
【０１０１】
次に、スイッチ部材について説明する。スイッチ部材は、第１スイッチ部材保持部４３１に保持された第１スイッチ部材５ａと、第２スイッチ部材保持部４４１に保持された第２スイッチ部材５ｂと、第３スイッチ部材保持部４５１に保持された第３スイッチ部材５ｃとの３つを備えている。
【０１０２】
第１スイッチ部材５ａは、操作部材５１ａと、操作部材５１ａと連結された連結部材５２とを備えている。
【０１０３】
操作部材５１ａは、押圧操作される板状の押圧操作部５１１と、四角柱状の軸部５１２とを備えている。押圧操作部５１１は、第１スイッチ部材保持部４３１の受容部４３１ａに光軸方向に移動可能に配置されている。又、押圧操作部５１１は、外面に、光軸方向と直交する方向に延された複数の滑り止め部５１１ａを備えている。
【０１０４】
軸部５１２は、押圧操作部５１１の内面から突出するように形成されており、突出した先端面に、連結部材５２が当接する当接部５１２ａと、連結部材５２を固定的に連結するための被連結部５１２ｂを備えている。
【０１０５】
当接部５１２ａは、軸部５１２の軸方向に直交する直交面に形成されている。又、被連結部５１２ｂは、この実施形態では、連結ボルト５３が螺合するネジ孔からなる。
【０１０６】
連結部材５２は、図６に示すように矩形板状の連結部材本体５２１と、連結部材本体５２１における幅方向の一方端部に形成された第１係合部５２２と、連結部材本体５２１における他方端部に形成された第２係合部５２３と、第２係合部５２３を挟んで第２係合部５２３の両側に形成され第１ガイドレールを摺動する複数のスライド部５２４ａ、５２４ｂとを備えている。
【０１０７】
連結部材本体５２１は、厚さ方向の一方面に、当接部５１２ａに当接される被当接部５２１ｂを備えている。又、連結部材本体５２１は、厚さ方向の一方面から他方面に貫通するように形成された連結ボルト挿通孔５２１ａを備えている。又、連結部材本体５２１は、前記他方端部に、段部５２１ｄを介して折り曲げた第１折曲片５２１ｅ及び第２折曲片５２１ｆと、第１折曲片５２１ｅから延設された弾性を有する腕部５２１ｇとを備えている。
【０１０８】
第１係合部５２２は、第１スイッチ部材検出部４３４の検出片４３４ｂと係合するもので、この実施形態では、第１係合部５２２は、検出片４３４ｂを嵌挿する検出片嵌挿部５２２ａを備え、この検出片嵌挿部５２２ａに検出片４３４ｂが嵌挿されることにより、第１係合部５２２と第１スイッチ部材検出部４３４の検出片４３４ｂとが係合するようになっている。第２係合部５２３は、連結部材本体５２１の腕部５２１ｇの先端に形成されている。
【０１０９】
スライド部５２４ａ、５２４ｂは、各スイッチガイドレール４３２、４４２、４５２に応じて何れか１つが選択的に使用されるもので、この実施形態では、スライド部は、第１スライド部５２４ａと、第２スライド部５２４ｂとの２つからなる。第１スライド部５２４ａは、第１折曲片５２１ｅの先端面及び第２折曲片５２１ｆの先端面に形成されている。これらの第１スライド部５２４ａは、被当接部５２１ｂと直交する面に形成されている。
【０１１０】
第２スライド部５２４ｂは、第１折曲片５２１ｅの折り曲げ基端部の段部及び第２折曲片５２１ｆの折り曲げ基端部の段部に形成されている。これらの第２スライド部５２４ｂも、被当接部５２１ｂと直交する面、即ち第１スライド部５２４ａと平行に形成されている。
【０１１１】
このように構成された第１スイッチ部材５ａは、例えば、次のようにして第１スイッチ部材保持部４３１に保持されている。
【０１１２】
即ち、操作部材５１ａの軸部５１２が台座４の外周側から軸嵌挿孔４３１ｂに嵌挿される。一方、台座４の内周側に連結部材５２が配置されて軸部５１２に連結される。詳しくは、連結部材５２は、第１係合部５２２が台座４の周方向の一方側（Ｗ方向側）を向くようにして、第１係合部５２２と検出片４３４ｂとが係合するとともに、連結部材５２の第１スライド部５２４ａが第１スイッチガイドレール４３２の第１スイッチガイド面４３２ａに当接し、操作部材５１ａの当接部５１２ａに連結部材５２の被当接部５２１ｂが当接した状態にされる。従って、この実施形態では、第１スイッチ部材５ａの第１スライド部５２４ａが第１スイッチガイドレール４３２の第１スイッチガイド面４３２ａの位置や形状に適合しており、第１スライド部５２４ａ及び第２スライド部５２４ｂとの内で第１スライド部５２４ａが選択されて使用されている。
【０１１３】
この状態で、連結部材５２の連結ボルト挿通孔５２１ａに連結ボルト５３が通されて操作部材５１ａの軸部５１２の被連結部５１２ｂに螺合される。これにより、操作部材５１ａと連結部材５２とが連結され、第１スイッチ部材５ａが台座４の第１スイッチ部材保持部４３１に摺動可能に保持されている。
【０１１４】
第２スイッチ部材５ｂは、この実施形態では、オートフォーカスの駆動範囲の設定を切り替えるものとされており、第１スイッチ部材５ａと同様に、操作部材５１ｂと、操作部材５１ｂと連結された連結部材５２とを備えている。
【０１１５】
第２スイッチ部材５ｂの操作部材５１ｂは、第１スイッチ部材５ａの操作部材５１ａよりも小さく、第２スイッチ部材保持部４４１の受容部４４１ａに受容可能な大きに形成されている。操作部材５１ｂのそれ以外は、第１スイッチ部材５ａの操作部材５１ａと同構成を採っている。
【０１１６】
第２スイッチ部材５ｂの連結部材５２は、第１スイッチ部材５ａのものと同構成を採っている。
【０１１７】
このように構成された第２スイッチ部材５ｂは、上述の第１スイッチ部材５ａの場合と同様にして、第２スイッチ部材保持部４４１に保持されている。
【０１１８】
ただし、この第２スイッチ部材５ｂにおける連結部材５２は、第１スイッチ部材５ａにおける連結部材５２とは、向きを逆にして配設される。即ち、連結部材５２は、第１係合部５２２が台座４の周方向の他方側（Ｚ方向側）を向くようにして配置され、第２スイッチ部材５ｂにおける連結部材５２の第２スライド部５２４ｂが第２スイッチガイドレール４４２のガイド面４４２ａに当接している。従って、第２スイッチ部材５ｂにおける連結部材５２の第２スライド部５２４ｂが第２スイッチガイドレール４４２の第２スイッチガイド面４４２ａに適合しており、第１スライド部５２４ａ及び第２スライド部５２４ｂとの内で第２スライド部５２４ｂが選択されて使用されている。
【０１１９】
第３スイッチ部材５ｃは、この実施形態では、オートフォーカスのプリセット（所定のフォーカス位置に駆動させる）設定スイッチとされており、第１スイッチ部材５ａと同様に、操作部材５１ｃと、操作部材５１ｃと連結された連結部材５２とを備えている。
【０１２０】
これらの操作部材５１ｃ及び連結部材５２は、第１スイッチ部材５ａの操作部材５１ａ及び連結部材５２と同構成を採っている。
【０１２１】
このように構成された第３スイッチ部材５ｃも、上述の第１スイッチ部材５ａの場合と同様にして、第３スイッチ部材保持部４５１に保持されている。
【０１２２】
又、この第３スイッチ部材５ｃにおける連結部材５２の第２スライド部５２４ｂが選択使用されて第３スイッチガイドレール４５２のガイド面４５２ａに当接している。
【０１２３】
以上のように構成されたレンズ鏡胴１は、例えば第１スイッチ部材５ａをオートフォーカスモード（この実施形態では、２つのオートフォーカスモードの何れか）位置に摺動操作する。その摺動に際し、連結部材５２の第１スライド部５２４ａが第１スイッチガイドレール４３２の第１スイッチガイド面４３２ａに面接触した状態で摺動するため、第１スライド部５２４ａが第１スイッチガイド面４３２ａを円滑に摺動し、感触が良好になる。又、第１スイッチガイド面４３２ａに傷が付くおそれが少なく、ガイド面とスライド部との耐久性を向上できる。
【０１２４】
第１スイッチ部材５ａがオートフォーカスモードに押圧操作されると、第１スイッチ部材検出部４３４の検出片４３４ｂが第１スイッチ部材５ａと共に移動する。そして、検出部本体４３４ａは、検出部本体４３４ａに対する検出片４３４ｂの位置を検出してその検出した位置情報を基板２７に送信する。
【０１２５】
これにより、基板２７からオートフォーカス用駆動モータ２６１へ電圧が印加され、それに伴いオートフォーカス用駆動モータ２６１が作動する。
【０１２６】
又、このオートフォーカス用駆動モータ２６１の作動に伴って、第１ギア２６１ａと噛合したオート用入力リング２６２が回動する。また、この回動に伴い、転動ローラー２８０ｂが第１ローラー転動部２６２ｂを転動する。その際、転動ローラー２８０ｂが第１ローラー転動部２６２ｂとマニュアル用入力リング２７１の第２ローラー転動部２７１ａとに挟持されているとともに、マニュアル用入力リング２７１が入力リング付勢バネ２７２ｃの付勢力等によって回動が規制されているため、転動ローラー２８０ｂは自転しながら、第１固定筒２１ａのまわりを公転し、これにより、転動ローラー２８０ｂを保持した出力リング２８０が回動する。
【０１２７】
そして、その出力リング２８０の回動に伴い、カム筒２３が回動する。又、カム筒２３の回動によって、第１固定筒２１ａのガイド溝２１２及びカム筒２３のカム溝２３１夫々に入り込んだガイド軸２２１がそれらの溝２１２，３１を移動し、これにより、第２レンズ群２２ｂが第１固定筒２１ａの光軸方向に移動する。
【０１２８】
一方、マニュアル操作する場合は、第１スイッチ部材５ａがオートフォーカスモード位置からマニュアルモード位置に押圧操作され、その状態から、マニュアル操作リング２７２が手で回動操作される。これにより、マニュアル用入力リング２７１が回動し、第２ローラー転動部２７１ａを転動ローラー２８０ｂが転動する。その際、転動ローラー２８０ｂを挟持したオート用入力リング２６２は、オートフォーカス用駆動モータ２６１と噛合して回動できないため、転動ローラー２８０ｂは自転しながら、第１固定筒２１ａのまわりを公転し、出力リング２８０全体が回動する。以下、上述したと同様に、カム筒２３が回動して第２レンズ群２２ｂが第１固定筒２１ａの光軸方向に駆動できる。
【０１２９】
以上のようにレンズ鏡胴１が構成されることにより、連結部材が複数のスライド部を備え、ガイドレールの位置に応じてスライド部の内の何れか１つが選択的に使用されるため、台座における複数の摺動部材の配置の自由度が高められる。これにより、例えば台座におけるガイドレールの配置やスイッチ部材検出部の配置の自由度が高くなり、スイッチ部材検出部に接続するフレキシブルプリント配線板が配線され易くなる。一方、同じ形状の連結部材を形成すればよく、製造コストを抑えることができる。
【０１３０】
又、連結部材の一方端部に第１係合部が形成され、連結部材の他方端部にスライド部と第２係合部とが形成されるため、連結部材の形成が容易になる。又、台座における係合位置決め部と検出部とを所定の間隔を隔てて形成でき、係合位置決め部と検出部との形成が容易になる。
【０１３１】
又、各スライド部は、第２係合部を挟んで第２係合部の両側に配置されているため、各スライド部がガイドレールを摺動するに際して摺動部材がガイドレールに対して傾くおそれが少なく、各スライド部がガイドレールを安定的に摺動できる。又、連結部材の一方端から他方端までの幅方向の長さを抑えることができ、連結部材が小型化される。
【０１３２】
又、連結部材は、第２係合部を係合位置決め部側に付勢する腕部を備えているため、第２係合部が係合位置決め部に入ったクリック感を使用者に与えることができるとともに、第２係合部が係合位置決め部に入った状態を維持できる。又、係合位置決め部に入った第２係合部が付勢力以上の力がかかると、係合位置決め部から出て第２係合部の位置が変えられる。
【０１３３】
又、連結部材本体と弾性を有する腕部とを一体的に形成すれば、バネ等の付勢部材を不要にでき、連結部材を容易に低コストで形成できる。
【０１３４】
また、各スイッチ部材５ａ、５ｂ、５ｃの軸部５１２の軸方向が台座本体４０の円弧形状の法線方向に沿うように形成されている。これにより、複数のスイッチ部材５ａ、５ｂ、５ｃそれぞれで台座本体４０との関係（凸量）が同等になり操作性が均一になる。
【０１３５】
また、各スイッチ部材５ａ、５ｂ、５ｃの軸部５１２の軸方向が各ガイド面４３２ａ、４４２ａ、４５２ａと平行に形成されており、スライド部５２４ａ、５２４ｂがガイド面４３２ａ、４４２ａ、４５２ａをより円滑にスライドする。これによりスライドする感触をさらに良好にできる。
【０１３６】
また、被連結部５１２ｂとガイド面４３２ａ、４４２ａ、４５２ａが直交しており、連結部材５２が板状の場合、より面接触しやすく、スライドする感触がより良好になる。
【０１３７】
また、操作部材５１ａ、５１ｂ、５１ｃの中心位置（例えば５３の軸中心）から、ガイド面４３２ａ、４４２ａ、４５２ａ、第１係合部５２２、第２係合部５２３までの距離がほぼ等距離に配置されており、また、該中心位置と前記各部との位置関係も同じになっているので、複数の操作部材５１ａ、５１ｂ、５１ｃの操作感触を均一にすることが容易になる。
【０１３８】
尚、上記実施形態では、摺動部材は、スイッチ部材５ａ、５ｂ、５ｃから構成されたが、この形態のものに限らず、種々のものに適用でき、適宜変更できる。
【０１３９】
又、上記実施形態では、摺動部材は、３つのスイッチ部材５ａ、５ｂ、５ｃから構成されたが、摺動部材は、２つ以上であればよく、適宜適宜変更できる。
【符号の説明】
【０１４０】
１    レンズ鏡胴
２    レンズ鏡胴本体
３    外装部材
４    台座
５ａ    第１スイッチ部材（摺動部材）
５ｂ    第２スイッチ部材（摺動部材）
５ｃ    第３スイッチ部材（摺動部材）
５１ａ、５１ｂ、５１ｃ    操作部材
５２    連結部材
４３２    第１スイッチガイドレール（ガイドレール）
４３３    第１スイッチ係合位置決め部（係合位置決め部）
４４２    第２スイッチガイドレール（ガイドレール）
４４３    第２スイッチ係合位置決め部（係合位置決め部）
４５２    第３スイッチガイドレール（ガイドレール）
４５３    第３スイッチ係合位置決め部（係合位置決め部）
５２２    第１係合部
５２３    第２係合部
５２４ａ    第１スライド部
５２４ｂ    第２スライド部
【図１】
0006476913.tif 000002
【図２】
0006476913.tif 000003
【図３】
0006476913.tif 000004
【図４】
0006476913.tif 000005
【図５】
0006476913.tif 000006
【図６】
0006476913.tif 000007
【図７】
0006476913.tif 000008
【図８】
0006476913.tif 000009